(57)【要約】  本開示は、基地局が、ＵＥ要件（たとえば移動性）に基づく異なる周期性で異なるＣＳＩ−ＲＳポートを構成してＣＳＩ−ＲＳオーバヘッドを低減する、通信方法を提供する。そして、別の方法は、周期的シフト方式で部分的ＣＳＩ−ＲＳポートを送信してオーバヘッドをさらに低減することである。加えて、分割ＣＳＩ−ＲＳポートグループの周期的シフト送信は、異なるＣＳＩ−ＲＳポートグループでの干渉の潜在的な大きな差を低減するために、提案される。
2016516371.tif 000002
【特許請求の範囲】
【請求項１】
ＣＳＩ−ＲＳポートをリソースブロックにマップする通信方法であって、
第１の送信期間にリソースブロックに第１のグループのＣＳＩ−ＲＳポートをマップするステップと、
第２の送信期間に前記リソースブロックに第２のグループのＣＳＩ−ＲＳポートをマップするステップと
を含み、前記第１のグループ内のＣＳＩ−ＲＳポートの数が、前記第２のグループ内のそれよりも多く、前記第１の送信期間が前記第２の送信期間よりも長い、通信方法。
【請求項２】
第３の送信期間に前記リソースブロックに第３のグループのＣＳＩ−ＲＳポートをマップするステップであって、前記第３のグループ内のＣＳＩ−ＲＳポートの数が前記第１のグループ内のそれよりも少なく、前記第２のグループ内のそれよりも多く、前記第３の送信期間が、前記第１の送信期間よりも短く、前記第２の送信期間よりも長い、ステップ
をさらに含む、請求項１に記載の通信方法。
【請求項３】
前記第１のグループのＣＳＩ−ＲＳポートが、相対的により多数のＣＳＩ−ＲＳポートを含み、前記第２のグループのＣＳＩ−ＲＳポートが、相対的により少数のＣＳＩ−ＲＳポートを含み、前記第３のグループのＣＳＩ−ＲＳポートが全ポートの別の部分を含むが、その数は、前記第１のグループのＣＳＩ−ＲＳポートの数と前記第２のグループのＣＳＩ−ＲＳポートの数の間である、請求項２に記載の通信方法。
【請求項４】
前記第１のグループのＣＳＩ−ＲＳポートが低移動性を有するユーザ機器のために使用され、前記第２のグループのＣＳＩ−ＲＳポートが高移動性を有するユーザ機器のために使用され、前記第３のグループのＣＳＩ−ＲＳポートが中移動性を有するユーザ機器のために使用される、請求項２に記載の通信方法。
【請求項５】
前記リソースブロック上の前記ＣＳＩ−ＲＳポートの構成を示すメッセージおよび／または出力増大変動パターンを示すメッセージが、ＲＲＣシグナリング、ＭＡＣシグナリングまたはＬ１シグナリングによって構成される、請求項２に記載の通信方法。
【請求項６】
ＣＳＩ−ＲＳポートをリソースブロックにマップする通信方法であって、
第１の送信期間に前記リソースブロックに第１のグループのＣＳＩ−ＲＳポートをマップするステップと、
第２の送信期間に前記リソースブロックに第２のグループのＣＳＩ−ＲＳポートをマップするステップと
を含み、前記第２のグループのＣＳＩ−ＲＳポートが、前記第１のグループのＣＳＩ−ＲＳポートを周期的にシフトすることによって形成される、通信方法。
【請求項７】
前記周期的にシフトされるオフセットが、ＲＲＣシグナリングを使用する基地局によって構成される、請求項６に記載の通信方法。
【請求項８】
ＣＳＩ−ＲＳポートをリソースブロックにマップする通信方法であって、
第１の送信期間の前半に第１のグループのＣＳＩ−ＲＳポートを前記リソースブロックに、前記第１の送信期間の後半に第２のグループのＣＳＩ−ＲＳポートを前記リソースブロックにマップするステップと、
第２の送信期間の前半に前記第２のグループのＣＳＩ−ＲＳポートを前記リソースブロックに、そして前記第２の送信期間の後半に前記第１のグループのＣＳＩ−ＲＳポートを前記リソースブロックにマップするステップと
を含み、前記第２のグループのＣＳＩ−ＲＳポートが、前記第１のグループのＣＳＩ−ＲＳポートを周期的にシフトすることによって形成される、通信方法。
【請求項９】
前記周期的にシフトされるオフセットが、ＲＲＣシグナリングを使用する基地局によって構成される、請求項８に記載の通信方法。
【請求項１０】
ＣＳＩ−ＲＳポートをリソースブロックにマップするための基地局であって、
第１の送信期間に第１のグループのＣＳＩ−ＲＳポートを前記リソースブロックに、そして第２の送信期間に第２のグループのＣＳＩ−ＲＳポートを前記リソースブロックにマップするように構成されたマッピング・ユニット
を備え、前記第１のグループ内のＣＳＩ−ＲＳポートの数が、前記第２のグループ内のそれよりも多く、前記第１の送信期間が前記第２の送信期間よりも長い、基地局。
【請求項１１】
前記マッピング・ユニットがさらに、第３の送信期間に第３のグループのＣＳＩ−ＲＳポートを前記リソースブロックにマップするように構成され、前記第３のグループ内のＣＳＩ−ＲＳポートの数が前記第１のグループ内のそれよりも少なく、前記第２のグループ内のそれよりも多く、前記第３の送信期間が前記第１の送信期間よりも短く、前記第２の送信期間よりも長い、請求項１０に記載の基地局。
【請求項１２】
前記第１のグループのＣＳＩ−ＲＳポートが、相対的により多数のポートを含み、前記第２のグループのＣＳＩ−ＲＳポートが、相対的により少数のポートを含み、そして、第３のグループのＣＳＩ−ＲＳポートの数が、前記第１のグループのＣＳＩ−ＲＳポートの数と前記第２のＣＳＩ−ＲＳポートの数の間である、請求項１１に記載の基地局。
【請求項１３】
前記第１のグループのＣＳＩ−ＲＳポートが、低移動性を有するユーザ機器のために使用され、前記第２のグループのＣＳＩ−ＲＳポートが、高移動性を有するユーザ機器のために使用され、前記第３のグループのＣＳＩ−ＲＳポートが、中移動性を有するユーザ機器のために使用される、請求項１１に記載の基地局。
【請求項１４】
前記リソースブロック上のＣＳＩ−ＲＳポートの構成を示すメッセージおよび／または出力増大変動パターンを示すメッセージが、ＲＲＣシグナリング、ＭＡＣシグナリングまたはＬ１シグナリングによって構成される、請求項１１に記載の基地局。
【請求項１５】
複数のＣＳＩ−ＲＳポートをリソースブロックにマップするための基地局であって、
第１の送信期間に第１のグループのＣＳＩ−ＲＳポートを前記リソースブロックに、そして第２の送信期間に第２のグループのＣＳＩ−ＲＳポートを前記リソースブロックにマップするように構成されたマッピング・ユニット
を備え、前記第２のグループのＣＳＩ−ＲＳポートが、複数のＣＳＩ−ＲＳポートのうちの前記第１のグループのＣＳＩ−ＲＳポートを周期的にシフトすることによって形成される、基地局。
【請求項１６】
前記周期的にシフトされるオフセットが、ＲＲＣシグナリングによって構成される、請求項１５に記載の基地局。
【請求項１７】
ＣＳＩ−ＲＳポートをリソースブロックにマップするための基地局であって、
第１の送信期間の前半に第１のグループのＣＳＩ−ＲＳポートを前記リソースブロックに、前記第１の送信期間の後半に第２のグループのＣＳＩ−ＲＳポートを前記リソースブロックにマップすることと、第２の送信期間の前半に前記第２のグループのＣＳＩ−ＲＳポートを前記リソースブロックに、前記第２の送信期間の後半に前記第１のグループのＣＳＩ−ＲＳポートを前記リソースブロックにマップすることとを行うように構成されたマッピング・ユニット
を備え、前記第２のグループのＣＳＩ−ＲＳポートが、前記第１のグループのＣＳＩ−ＲＳポートを周期的にシフトすることによって形成される、基地局。
【請求項１８】
前記周期的にシフトされるオフセットが、ＲＲＣシグナリングによって構成される、請求項１７に記載の基地局。
【請求項１９】
第１のグループのＣＳＩ−ＲＳポートが第１の送信期間にリソースブロックにマップされ、第２のグループのＣＳＩ−ＲＳポートが第２の送信期間に前記リソースブロックにマップされる、基地局から前記リソースブロックを受信するように構成された受信ユニット
を備え、
前記第１のグループ内の前記ＣＳＩ−ＲＳポートの数が、前記第２のグループ内のそれよりも多く、前記第１の送信期間が、前記第２の送信期間よりも長い、ユーザ機器。
【請求項２０】
第３のグループのＣＳＩ−ＲＳポートが、第３の送信期間に前記リソースブロックにマップされ、前記第３のグループ内の前記ＣＳＩ−ＲＳポートの数が前記第１のグループ内のそれよりも少なく、前記第２のグループ内のそれよりも多く、前記第３の送信期間が前記第１の送信期間より短く、前記第２の送信期間よりも長い、請求項１９に記載のユーザ機器。
【請求項２１】
前記第１のグループのＣＳＩ−ＲＳポートが、相対的により多数のポートを含み、前記第２のグループのＣＳＩ−ＲＳポートが、相対的により少数のポートを含み、前記第３のグループのＣＳＩ−ＲＳポートの数が、前記第１のグループのＣＳＩ−ＲＳポートの数と前記第２のグループのＣＳＩ−ＲＳポートの数の間である、請求項２０に記載のユーザ機器。
【請求項２２】
前記第１のグループのＣＳＩ−ＲＳポートが、低移動性を有するユーザ機器のために使用され、前記第２のグループのＣＳＩ−ＲＳポートが、高移動性を有するユーザ機器のために使用され、前記第３のグループのＣＳＩ−ＲＳポートが、中移動性を有するユーザ機器のために使用される、請求項２０に記載のユーザ機器。
【請求項２３】
前記リソースブロック上の前記ＣＳＩ−ＲＳポートの構成を示すメッセージおよび／または出力増大変動パターンを示すメッセージが、ＲＲＣシグナリング、ＭＡＣシグナリングまたはＬ１シグナリングを使用する基地局によって構成される、請求項２０に記載のユーザ機器。
【請求項２４】
第１のグループのＣＳＩ−ＲＳポートが第１の送信期間にリソースブロックにマップされ、第２のグループのＣＳＩ−ＲＳポートが第２の送信期間に前記リソースブロックにマップされる、基地局から前記リソースブロックを受信するように構成された受信ユニット
を備え、前記第２のグループのＣＳＩ−ＲＳポートが、前記第１のグループのＣＳＩ−ＲＳポートを周期的にシフトすることによって形成される、ユーザ機器。
【請求項２５】
前記周期的にシフトされるオフセットが、ＲＲＣシグナリングを使用する基地局によって構成される、請求項２４に記載のユーザ機器。
【請求項２６】
第１のグループのＣＳＩ−ＲＳポートが第１の送信期間の前半にリソースブロックにマップされ、第２のグループのＣＳＩ−ＲＳポートが前記第１の送信期間の後半に前記リソースブロックにマップされ、前記第２のグループのＣＳＩ−ＲＳポートが第２の送信期間の前半に前記リソースブロックにマップされ、前記第１のグループのＣＳＩ−ＲＳポートが前記第２の送信期間の後半に前記リソースブロックにマップされる、基地局から前記リソースブロックを受信するように構成された受信ユニット
を備え、前記第２のグループのＣＳＩ−ＲＳポートが、前記第１のグループのＣＳＩ−ＲＳポートを周期的にシフトすることによって形成される、ユーザ機器。
【請求項２７】
前記周期的にシフトされるオフセットが、ＲＲＣシグナリングを使用する基地局によって構成される、請求項２６に記載のユーザ機器。
【発明の詳細な説明】
【技術分野】
【０００１】
本開示は、ＬＴＥ（ロング・ターム・エボリューション）でのＦＤ−ＭＩＭＯ（full dimension multiple-input multiple-output）通信システムにおけるリソースブロックへのＣＳＩ−ＲＳ（チャネル状態測定用参照信号）ポートのマッピングの方法に関する。
【背景技術】
【０００２】
多重アンテナ技術の一種であるビーム形成は、カバレッジ能力を向上させるために、初期のロング・ターム・エボリューション（ＬＴＥ）規格リリースで既に採用されている。本技術に関して、人々は、これまで、主に方位角領域に注目していた。たとえば、ある種の重みベクトルを使用していかに水平ビームを形成するかが、研究されてきた。仰角領域では、ある種の動的ビームではなく固定されたダウンチルトが、現在のＬＴＥシステムではサポートされる。
【０００３】
仰角領域ビーム形成に対する要件が増大するにつれて、３Ｄビーム形成は、特にユーザが建物の異なる階に位置する都市部においてますます重要になると考えられる。従来の水平ビーム形成技術を使用しても、これらのユーザにはあまり十分に役立つことができず、したがって、仰角領域でも水平領域でもビーム形成を考慮する必要があり、これは実際には３Ｄビーム形成である。
【０００４】
図１は、通常の３Ｄビーム形成の一例を示す。図１に示すように、ｅＮＢ（基地局）１０１から送られる３Ｄビームが、特定の階にいるユーザにサービスを提供している。そのビームはまた、動的に別の階のユーザにもサービスを提供することができる。したがって、３Ｄビーム形成は、垂直アンテナ・ユニット（または垂直ビーム形成）を使用してシステム性能をさらに向上させ、潜在的に他のセルへの干渉を低減することができる。３Ｄビーム形成を実現するためには、アクティブ・アンテナ・システム（ＡＡＳ）が基礎である。
【０００５】
図２は、３ＧＰＰ  ＴＲ３７．８４０におけるＡＡＳ（Active antenna system）無線アーキテクチャ概略を示す。図２に示すように、トランシーバ・ユニット・アレイ（ＴＵＡ）２０１は、トランシーバ・ユニット＃１、＃２、…＃Ｋとアンテナ・ポートの間の１対１のマッピングを想定する。無線配信ネットワーク（ＲＤＮ：Radio Distribution Network）２０２は、ＴＵＡ２０１とアンテナ・アレイ２０３の間のマッピングを提供することができる。ＡＡＳシステムを使用することによって、ネットワークは、ビームのすべての仰角（または下方傾斜）および方位角と、関連ビーム幅とを動的に調整することができる。
【０００６】
３ＧＰＰ  ＴＲ３７．８４０が示すように、最低結合損失のレベル、ｅＮＢ（基地局）アンテナの位置などに応じて、ワイド・エリアＡＡＳ（マクロＡＡＳ）、中距離ＡＡＳ（マイクロＡＡＳ）、およびローカル・エリア・カバレッジＡＡＳ（ピコＡＡＳ）など、異なるＡＡＳ設置シナリオが存在し得る。各ＡＡＳシナリオの範囲は、３Ｄビーム形成の恩恵を受けることができる。
【０００７】
３ＧＰＰリリース１２では、３Ｄビーム形成に関する潜在的に２つの検討事項が、論じられることになる。すなわち、１つは、仰角ビーム形成であり、もう１つはＦＤ−ＭＩＭＯである。前者は、最大８アンテナ・ポートを想定し、後者は｛１６，３２，６４｝またはさらに大きいアンテナ・ポートをサポートすることができる。アンテナ・ポートは、いくつかのアンテナ・ユニット（物理アンテナ）によって送信され得る論理信号の一種である。
【０００８】
図３は、８×８アンテナ・アレイ構造を有するＦＤ−ＭＩＭＯを示す。図３に示すように、潜在的に６４アンテナ・ユニットをサポートするＦＤ−ＭＩＭＯは、Full Dimensionでのチャネルを推定するために、６４ＣＳＩ−ＲＳポートを必要とし得る。８×８アンテナ・アレイ構造で、それぞれのアンテナ間隔は、０．５λでもよい。
【０００９】
図４は、ＬＴＥのリリース１１でのＰＲＢ（物理リソースブロック）ごとのＣＳＩ−ＲＳ領域を概略的に示す。図４に示すように、斜線「＼」で示される領域は、基地局からユーザ機器にＣＳＩ−ＲＳ信号を送信するためのＰＲＢ上のＣＳＩ−ＲＳポートである。６４ＣＳＩ−ＲＳポートがＦＤ−ＭＩＭＯのために必要とされることが真である場合、問題は、ＬＴＥの現在のリリース１１では、４０ＲＥ（リソース要素）のみが、ＰＲＢごとのＣＳＩ−ＲＳポートとして使用されるということである。したがって、どのようにして６４ＣＳＩ−ＲＳポートにＰＲＢ上の４０ＲＥを割り当てるかが問題である。
【発明の概要】
【発明が解決しようとする課題】
【００１０】
本開示は、前述の態様を考慮して行われる。
【課題を解決するための手段】
【００１１】
本開示の一態様によれば、ＣＳＩ−ＲＳポートをリソースブロックにマップする通信方法であって、第１の送信期間にリソースブロックに第１のグループのＣＳＩ−ＲＳポートをマップするステップと、第２の送信期間にリソースブロックに第２のグループのＣＳＩ−ＲＳポートをマップするステップとを含み、第１のグループ内のＣＳＩ−ＲＳポートの数は第２のグループ内のそれよりも多く、第１の送信期間は第２の送信期間よりも長い、通信方法が提供される。
【００１２】
本開示で、本通信方法はさらに、第３の送信期間にリソースブロックに第３のグループのＣＳＩ−ＲＳポートをマップするステップを含み、第３のグループ内のＣＳＩ−ＲＳポートの数は第１のグループ内のそれよりも少なく、第２のグループ内のそれよりも多く、第３の送信期間は、第１の送信期間よりも短く、第２の送信期間よりも長い。
【００１３】
本開示で、第１のグループのＣＳＩ−ＲＳポートは、相対的により多数のＣＳＩ−ＲＳポート（たとえば６４ポート）を含み、ＣＳＩ−ＲＳポートの第２のグループは相対的により少数のＣＳＩ−ＲＳポート（たとえば１６ポート）を含み、そして、ＣＳＩ−ＲＳポートの第３のグループは全ポートの別の部分を含むが、その数は、第１のグループのＣＳＩ−ＲＳポートの数と第２のグループのＣＳＩ−ＲＳポートの数の間、たとえば３２または４８ポート、である。
【００１４】
本開示で、第１のグループのＣＳＩ−ＲＳポートは低移動性を有するユーザ機器のために使用され、第２のグループのＣＳＩ−ＲＳポートは高移動性を有するユーザ機器のために使用され、第３のグループのＣＳＩ−ＲＳポートは中移動性を有するユーザ機器のために使用される。
【００１５】
本開示で、リソースブロック上のＣＳＩ−ＲＳポートの構成を示すメッセージおよび／または出力増大変動パターンを示すメッセージが、ＲＲＣシグナリング、ＭＡＣシグナリングまたはＬ１シグナリングによって構成される。
【００１６】
本開示の別の態様によれば、ＣＳＩ−ＲＳポートをリソースブロックにマップする通信方法であって、第１の送信期間にリソースブロックに第１のグループのＣＳＩ−ＲＳポートをマップするステップと、第２の送信期間にリソースブロックに第２のグループのＣＳＩ−ＲＳポートをマップするステップとを含み、第２のグループのＣＳＩ−ＲＳポートは、第１のグループのＣＳＩ−ＲＳポートを周期的にシフトすることによって形成される、通信方法が提供される。
【００１７】
本開示で、周期的にシフトされるオフセットは、ＲＲＣシグナリングを使用する基地局によって構成される。
【００１８】
本開示のさらなる態様によれば、第１の送信期間の前半に第１のグループのＣＳＩ−ＲＳポートをリソースブロックに、第１の送信期間の後半に第２のグループのＣＳＩ−ＲＳポートをリソースブロックにマップするステップと、第２の送信期間の前半に第２のグループのＣＳＩ−ＲＳポートをリソースブロックに、そして第２の送信期間の後半に第１のグループのＣＳＩ−ＲＳポートをリソースブロックにマップするステップとを含む、ＣＳＩ−ＲＳポートをリソースブロックにマップする通信方法が提供され、第２のグループのＣＳＩ−ＲＳポートは、第１のグループのＣＳＩ−ＲＳポートを周期的にシフトすることによって形成される。
【００１９】
本開示で、周期的にシフトされるオフセットは、ＲＲＣシグナリングを使用する基地局によって構成される。
【００２０】
本開示のさらなる態様によれば、ＣＳＩ−ＲＳポートをリソースブロックにマップするための基地局であって、第１の送信期間に第１のグループのＣＳＩ−ＲＳポートをリソースブロックに、そして第２の送信期間に第２のグループのＣＳＩ−ＲＳポートをリソースブロックにマップするように構成されたマッピング・ユニットを備え、第１のグループ内のＣＳＩ−ＲＳポートの数は第２のグループ内のそれよりも多く、第１の送信期間は第２の送信期間よりも長い、基地局が提供される。
【００２１】
本開示で、マッピング・ユニットはさらに、第３の送信期間に第３のグループのＣＳＩ−ＲＳポートをリソースブロックにマップするように構成され、第３のグループ内のＣＳＩ−ＲＳポートの数は第１のグループ内のそれよりも少なく、第２のグループ内のそれよりも多く、第３の送信期間は、第１の送信期間よりも短く、第２の送信期間よりも長い。
【００２２】
本開示で、ＣＳＩ−ＲＳポートの第１のグループは相対的により多数のＣＳＩ−ＲＳポート（たとえば６４ポート）を含み、ＣＳＩ−ＲＳポートの第２のグループは相対的により少数のＣＳＩ−ＲＳポート（たとえば１６ポート）を含み、そして、ＣＳＩ−ＲＳポートの第３のグループは全ポートの別の部分を含むが、その数は、第１のグループのＣＳＩ−ＲＳポートの数と第２のグループのＣＳＩ−ＲＳポートの数の間、たとえば３２または４８ポート、である。
【００２３】
本開示で、第１のグループのＣＳＩ−ＲＳポートは低移動性を有するユーザ機器のために使用され、第２のグループのＣＳＩ−ＲＳポートは高移動性を有するユーザ機器のために使用され、第３のグループのＣＳＩ−ＲＳポートは中移動性を有するユーザ機器のために使用される。
【００２４】
本開示で、リソースブロック上のＣＳＩ−ＲＳポートの構成を示すメッセージおよび／または出力増大変動パターンを示すメッセージが、ＲＲＣシグナリング、ＭＡＣシグナリングまたはＬ１シグナリングによって構成される。
【００２５】
本開示のさらなる態様によれば、複数のＣＳＩ−ＲＳポートをリソースブロックにマップする基地局であって、第１の送信期間に第１のグループのＣＳＩ−ＲＳポートをリソースブロックに、そして第２の送信期間に第２のグループのＣＳＩ−ＲＳポートをリソースブロックにマップするように構成されたマッピング・ユニットを備え、ＣＳＩ−ＲＳポートの第２のグループが、複数のＣＳＩ−ＲＳポートのうちのＣＳＩ−ＲＳポートの第１のグループを周期的にシフトすることによって形成される、基地局が提供される。
【００２６】
本開示で、周期的にシフトされるオフセットは、ＲＲＣシグナリングによって構成される。
【００２７】
本開示のさらなる態様によれば、ＣＳＩ−ＲＳポートをリソースブロックにマップするための基地局であって、第１の送信期間の前半に第１のグループのＣＳＩ−ＲＳポートをリソースブロックに、第１の送信期間の後半に第２のグループのＣＳＩ−ＲＳポートをリソースブロックにマップすることと、第２の送信期間の前半に第２のグループのＣＳＩ−ＲＳポートをリソースブロックに、第２の送信期間の後半に第１のグループのＣＳＩ−ＲＳポートをリソースブロックにマップすることとを行うように構成されたマッピング・ユニットを備え、ＣＳＩ−ＲＳポートの第２のグループが、ＣＳＩ−ＲＳポートの第１のグループを周期的にシフトすることによって形成される、基地局が提供される。
【００２８】
本開示で、周期的にシフトされるオフセットは、ＲＲＣシグナリングによって構成される。
【００２９】
本開示のさらなる態様によれば、第１のグループのＣＳＩ−ＲＳポートが第１の送信期間にリソースブロックにマップされ、第２のグループのＣＳＩ−ＲＳポートが第２の送信期間にリソースブロックにマップされ、第１のグループ内のＣＳＩ−ＲＳポートの数が第２のグループ内のそれよりも多く、第１の送信期間が第２の送信期間よりも長い、基地局からリソースブロックを受信するように構成された受信ユニットを備えるユーザ機器が提供される。
【００３０】
本開示で、第３のグループのＣＳＩ−ＲＳポートが、第３の送信期間にリソースブロックにマップされ、第３のグループ内のＣＳＩ−ＲＳポートの数は第１のグループ内のそれよりも少なく、第２のグループ内のそれよりも多く、第３の送信期間は第１の送信期間よりも短く、第２の送信期間よりも長い。
【００３１】
本開示で、ＣＳＩ−ＲＳポートの第１のグループは相対的により多数のＣＳＩ−ＲＳポート（たとえば６４ポート）を含み、ＣＳＩ−ＲＳポートの第２のグループは相対的により少数のＣＳＩ−ＲＳポート（たとえば１６ポート）を含み、そして、ＣＳＩ−ＲＳポートの第３のグループは全ポートの別の部分を含むが、その数は、第１のグループのＣＳＩ−ＲＳポートの数と第２のグループのＣＳＩ−ＲＳポートの数の間、たとえば３２または４８ポート、である。
【００３２】
本開示で、第１のグループのＣＳＩ−ＲＳポートは低移動性を有するユーザ機器のために使用され、第２のグループのＣＳＩ−ＲＳポートは高移動性を有するユーザ機器のために使用され、第３のグループのＣＳＩ−ＲＳポートは中移動性を有するユーザ機器のために使用される。
【００３３】
本開示で、リソースブロック上のＣＳＩ−ＲＳポートの構成を示すメッセージ、および／または、出力増大変動パターンを示すメッセージが、ＲＲＣシグナリング、ＭＡＣシグナリングまたはＬ１シグナリングを使用する基地局によって、構成される。
【００３４】
本開示のさらなる態様によれば、第１のグループのＣＳＩ−ＲＳポートが第１の送信期間にリソースブロックにマップされ、第２のグループのＣＳＩ−ＲＳポートが第２の送信期間にリソースブロックにマップされ、第２のグループのＣＳＩ−ＲＳポートは、第１のグループのＣＳＩ−ＲＳポートを周期的にシフトすることによって形成される、基地局からリソースブロックを受信するように構成された受信ユニットを備えるユーザ機器が提供される。
【００３５】
本開示で、周期的にシフトされるオフセットは、ＲＲＣシグナリングを使用する基地局によって構成される。
【００３６】
本開示のさらなる態様によれば、第１のグループのＣＳＩ−ＲＳポートが第１の送信期間の前半にリソースブロックにマップされ、第２のグループのＣＳＩ−ＲＳポートが第１の送信期間の後半にリソースブロックにマップされ、そして、第２のグループのＣＳＩ−ＲＳポートが第２の送信期間の前半にリソースブロックにマップされ、そして、第１のグループのＣＳＩ−ＲＳポートが第２の送信期間の後半にリソースブロックにマップされ、第２のグループのＣＳＩ−ＲＳポートは、第１のグループのＣＳＩ−ＲＳポートを周期的にシフトすることによって形成される、基地局からリソースブロックを受信するように構成された受信ユニットを備えるユーザ機器が提供される。
【００３７】
本開示で、周期的にシフトされるオフセットは、ＲＲＣシグナリングを使用する基地局によって構成される。
【００３８】
本開示の通信方法、基地局、およびユーザ機器は、ＣＳＩ−ＲＳ送信の平均オーバヘッドが大きく低減されるという利点を実現することができ、そして、異なるＴＴＩ内の分割ＣＳＩ−ＲＳポート間の干渉が平均化され、性能が高められる。
【図面の簡単な説明】
【００３９】
以下のような添付の図面とともに以下の本開示の実施例の詳細な説明で、本開示のこれらのおよび／または他の態様と利点が、より明確になり、理解がより容易になろう。
【図１】従来の３Ｄビーム形成の一例を示す図である。
【図２】３ＧＰＰ  ＴＲ３７．８４０でのＡＡＳ無線アーキテクチャを示す図である。
【図３】８×８アンテナ・アレイ構造を有するＦＤ−ＭＩＭＯを示す図である。
【図４】ＬＴＥのリリース１１におけるＰＲＢごとのＣＳＩ−ＲＳ領域を概略的に示す図である。
【図５】全ＣＳＩ−ＲＳポート送信のためのＦＤＭおよびＴＤＭ解決法を示す図である。
【図６】本開示の一実施例による基地局を概略的に示すブロック図である。
【図７】本開示の第１の実施例によるリソースブロックにＣＳＩ−ＲＳポートをマップする基地局の動作を示す図である。
【図８】本開示の第２の実施例による周期的にシフトされる送信によるＣＳＩ−ＲＳポートを示す図である。
【図９】本開示の第３の実施例による分割ＣＳＩ−ＲＳポートの周期的シフト送信を示す図である。
【図１０】本開示のさらなる一実施例によるユーザ機器（ＵＥ）を示すブロック図である。
【図１１】本開示の第１の実施例によるリソースブロックにＣＳＩ−ＲＳポートをマップする方法の流れ図である。
【図１２】本開示の第２の実施例によるリソースブロックにＣＳＩ−ＲＳポートをマップする方法の流れ図である。
【図１３】本開示の第３の実施例によるリソースブロックにＣＳＩ−ＲＳポートをマップする方法の流れ図である。
【発明を実施するための形態】
【００４０】
以下の詳細な説明では、本開示の一部を形成する添付の図面が参照される。図面において、同様の記号は、通常、別段文脈によって示されない限り、同様の構成要素を指す。本開示の態様は、多種多様な異なる構成で、配列、置換、結合、および設計することができ、それらのすべては明示的に企図され、本開示の一部を成すことが、容易に理解されよう。
【００４１】
本明細書では、マクロＡＡＳシナリオに主に焦点が置かれるが、前述の任意の他のシナリオもまた実現可能な事例になり得る。本明細書で、６４アンテナ・ユニットを有するＦＤ−ＭＩＭＯが一例として挙げられるが、本開示はまた、仰角ビーム形成などの他の場合にも使用され得る。
【００４２】
本開示が、図面とともに以下で説明される。
【００４３】
図５は、全ＣＳＩ−ＲＳポート送信のためのＦＤＭおよびＴＤＭ解決法を示す図である。背景技術に記載された問題を解決するために、１つの直接的な方法は、ちょうど図５に示すように、ＣＳＩ−ＲＳポートがＴＤＭまたはＦＤＭ方式で分割されるものである。具体的には、図５（ａ）に示すように、ＰＲＢ＃１およびＰＲＢ＃２は、周波数領域で分散されたリソースブロックであり、直接的な方法によれば、３２ＣＳＩ−ＲＳポートがＰＲＢ＃１の３２ＲＥにマップされ、他の３２ＣＳＩ−ＲＳポートがＰＲＢ＃２の３２ＲＥにマップされる。別法として、図５（ｂ）に示すように、２つのリソースブロックが時間領域で分散され、１つはＴＴＩ＃１であり、別はＴＴＩ＃２である。別の直接的な方法によれば、３２ＣＳＩ−ＲＳポートがＴＴＩ＃１のＰＲＢで３２ＲＥにマップされ、他の３２ＣＳＩ−ＲＳポートがＴＴＩ＃２のＰＲＢで３２ＲＥにマップされる。ここで、ＴＴＩは、送信時間間隔を意味する。そのような解決法によって、各ＰＲＢ内の送信されるＣＳＩ−ＲＳポートは、４０未満でもよい。
【００４４】
直接的な解決法が、４０ＲＥが十分ではない問題を解決することができたとしても、いくらかのさらなる強化が、恐らくは必要である。少なくとも、オーバヘッドがまだ非常に大きいことが、理解されよう。たとえば、６４ＣＳＩ−ＲＳポートが２つの連続するＰＲＢ、５ｍｓ周期性、に分割され、ＰＤＳＣＨ  ＲＥ＝１１記号＊１２サブキャリアであると仮定すると、ＣＳＩ−ＲＳオーバヘッドは、Ｒｅｌ．１０でのそれの８倍になり得る。
【００４５】
直接的な解決法では、ＣＳＩ−ＲＳポート構成はＵＥ要件に基づいて最適化されないことが、理解されよう。異なる移動性を有するユーザが、各期間に全ＣＳＩ−ＲＳ送信によって構成されることになる。それは、何らかの形でＣＳＩ−ＲＳリソースを大いに無駄にすることになる。実際に、いくらかの分析に基づき、高移動性ユーザでは、高密度の周期性を有する部分的ＣＳＩ−ＲＳポートが、以下を考慮することによって、適当である：１）不正確なＣＳＩフィードバックは、ＦＤ−ＭＩＭＯをうまくサポートすることができない（全ＣＳＩ−ＲＳポート送信は必要ではない）、２）遅延許容差は、チャネルの高速変動により、より小さい。これに代わり、低移動性ユーザでは、低密度の周期性を有する全ＣＳＩ−ＲＳポートが、以下を考慮することによって、適当である：１）正確なＣＳＩフィードバックが、ＦＤ−ＭＩＭＯを非常にうまくサポートすることができる、２）遅延許容差が、より大きい（時間領域内のチャネルがより平坦である）、すなわち、高密度の周期性は必要ではない。したがって、高移動性ユーザと低移動性ユーザの間のＣＳＩ−ＲＳポート送信の要件は、完全に異なる。
【実施例１】
【００４６】
したがって、本開示の一実施例によれば、ＵＥ要件（たとえば移動性）に基づく異なる周期性を有する異なるＣＳＩ−ＲＳポートを構成してＣＳＩ−ＲＳオーバヘッドを低減することが提案される。
【００４７】
図６は、本開示の一実施例による基地局（ｅＮＢ）６００を概略的に示すブロック図である。本実施例によれば、基地局６００は、ＵＥ要件（たとえば移動性）に基づく異なる周期性を有する異なるＣＳＩ−ＲＳポートを構成してＣＳＩ−ＲＳオーバヘッドを低減する、リソースブロックでリソース要素にＣＳＩ−ＲＳポートをマップする機能を有する。低速度／移動性ユーザは、すべてのＣＳＩ−ＲＳポートを見ることができるが、相対的に長い周期性を有する。高速度／移動性ユーザでは、高密度の周期性で部分的ＣＳＩ−ＲＳポートのみが構成されることになる。したがって、異なるユーザは、ＣＳＩ−ＲＳポートで異なる構成を有することになり、異なるＣＳＩ−ＲＳグループは異なる周期性を有する。図６に示すように、異なる斜線で示されたブロックは、異なるＣＳＩ−ＲＳポートを表す。
【００４８】
ｅＮＢ６００は、第１の送信期間に第１のグループのＣＳＩ−ＲＳポートをリソースブロックにマップするようにおよび第２の送信期間に第２のグループのＣＳＩ−ＲＳポートをリソースブロックにマップするように構成されたマッピング・ユニット６０１を備え、第１のグループ内のＣＳＩ−ＲＳポートの数は第２のグループ内のそれよりも多く、第１の送信期間の長さは第２の送信期間のそれよりも長い。
【００４９】
図７は、本開示の第１の実施例によるリソースブロックにＣＳＩ−ＲＳポートをマップする基地局の動作を示す図である。具体的には、図７に示すように、期間Ｔ（第１の送信期間と呼ばれる）に、マッピング・ユニット６０１は、（第１の）グループのＣＳＩ−ＲＳポート７１１、７１２、７１３、７１４をリソースブロックにマップし、そして、期間２Ｔ（第２の送信期間と呼ばれる）に、マッピング・ユニット６０１は、別の（第２の）グループのＣＳＩ−ＲＳポート７１１をリソースブロックにマップする。ここで、図７に示すように、ＣＳＩ−ＲＳポート７１１は、ポート０〜１５などを備えることができ、ＣＳＩ−ＲＳポート７１２はポート１６〜３１などを備えることができ、ＣＳＩ−ＲＳポート７１３はポート３２〜４７などを備えることができ、ＣＳＩ−ＲＳポート７１４はポート４８〜６３などを備えることができる。６４である第１のグループ内のＣＳＩ−ＲＳポート（７１１、７１２、７１３、７１４）の数は、第２のグループ（７１１）のそれ（１６）よりも多いことが、理解されよう。ここで、１つの期間Ｔは、たとえば、２つのＴＴＩを含み得る。
【００５０】
本実施例によれば、図７に示すように、期間Ｔ、２Ｔ、３Ｔ、４Ｔ、５Ｔ、６Ｔ、７Ｔ…の各々で、同グループのＣＳＩ−ＲＳポート７１１がリソースブロックにマップされる、すなわち、ＣＳＩ−ＲＳポート７１１の送信期間の長さはＴである。他方で、期間７Ｔに、第１のグループのＣＳＩ−ＲＳポート７１１、７１２、７１３、７１４がリソースブロックにマップされる、すなわち、ＣＳＩ−ＲＳポート７１１、７１２、７１３、７１４の送信期間の長さは、７Ｔ−Ｔ＝６Ｔである。第１のグループのＣＳＩ−ＲＳポート７１１、７１２、７１３、７１４の送信期間の長さ（６Ｔ）は、第２のグループのＣＳＩ−ＲＳポート７１１の送信期間の長さ（Ｔ）よりも長いことが、理解されよう。
【００５１】
別の実施例によれば、図７に示すように、マッピング・ユニット６０１はさらに、（第３の）送信期間３Ｔまたは５Ｔに第３のグループのＣＳＩ−ＲＳポート（ＣＳＩ−ＲＳポート７１１、７１２のグループ、またはＣＳＩ−ＲＳポート７１１、７１２、７１３のグループ）をリソースブロックにマップすることができ、第３のグループ内のＣＳＩ−ＲＳポートの数（３２または４８）は第１のグループ内のそれ（６４）よりも少なく、第２のグループ内のそれ（１６）よりも多く、第３の送信期間の長さ（５Ｔ−３Ｔ＝２Ｔまたは９Ｔ−５Ｔ＝４Ｔ）は、第１の送信期間の長さ（６Ｔ）よりも短く、第２の送信期間のそれ（Ｔ）よりも長いことが、理解されよう。
【００５２】
別の実施例によれば、第１のグループのＣＳＩ−ＲＳポート７１１、７１２、７１３、７１４は、低移動性を有するユーザのために使用され、第２のグループのＣＳＩ−ＲＳポート７１１は、高移動性を有するユーザのために使用され、そして、第３のグループのＣＳＩ−ＲＳポート７１１、７１２、または７１１、７１２、７１３は、中移動性を有するユーザのために使用される。
【００５３】
本実施例では、２つのことも考慮する必要がある：すべてのユーザ機器について、真のＣＳＩ−ＲＳ送信パターンが、ＰＤＳＣＨのレート・マッチングを行うために、示されることが必要である。そのパターン指示は、ＲＲＣ、ＭＡＣ  ＣＥまたはＬ１シグナリングの方式でもよい。たとえば、ＲＲＣシグナリングでは、１つのオプションは、真のＣＳＩ−ＲＳ数送信を反映することになるＣＳＩ−ＲＳパターンを送信することであり、別のオプションは、通信システムが、異なるユーザ機器のために使用されるすべての構成されたＣＳＩ−ＲＳパターンを送信することである。ユーザ機器は、これらのすべてのパターンに基づいて実際に送信されるＣＳＩ−ＲＳポートを計算することになる。
【００５４】
加えて、出力増大が、部分的ポートを送信するＴＴＩのために使用される場合、ＣＳＩ−ＲＳポートのＰｃ（パワー）パターンが示されるべきである。出力増大は、部分的ＣＳＩ−ＲＳポートのみが送信される場合に、ＳＩＮＲを改善するために使用され得る。たとえば、図７に示すように、出力増大が実行されて信号品質を改善することができるように、１６ＣＳＩ−ＲＳポート７１１のみが第２の期間（２Ｔ）または第４の期間（４Ｔ）に送信される。しかし、いつ、どのように出力増大（ＣＳＩ−ＲＳ−ＣｏｎｆｉｇＮＺＰ−ｒ１１内のＰｃ）が使用されるかは、ＲＲＣ、ＭＡＣ、Ｌ１シグナリングに関して同様に示されるべきである。ＣＳＩ−ＲＳ−ＣｏｎｆｉｇＮＺＰ−ｒ１１メッセージ内にＰｃ＿ｐａｔｔｅｒｎという名の１つのフィールドを追加して出力増大変動パターンを示すことができる。
【００５５】
したがって、ｅＮＢ６００は、部分的ＣＳＩ−ＲＳポートがユーザ機器に送信されるときにリソースブロック上のＣＳＩ−ＲＳポートの構成を示すメッセージおよび／または出力増大変動パターンを示すメッセージを送信するように構成された送信ユニット６０２を備えることができ、そのメッセージはＲＲＣシグナリング、ＭＡＣシグナリングまたはＬ１シグナリングによって構成される。本実施例によれば、第１のグループ、第２のグループ、および第３のグループのＣＳＩ−ＲＳポートをマップするリソースブロックは、ＣＳＩ−ＲＳポートのそれぞれのグループを定期的にシフトすることによって、基地局からユーザ機器に定期的に送信され得る。
【００５６】
本開示によるｅＮＢ６００はさらに、関連プログラムを実行して様々なデータを処理し、ｅＮＢ６００内のそれぞれのユニットの動作を制御するためのＣＰＵ（中央処理装置）６１０、ＣＰＵ６１０による様々な処理および制御を実行するために必要とされる様々なプログラムを記憶するためのＲＯＭ（読取り専用メモリ）６１３、ＣＰＵ６１０による処理および制御の手続きで一時的に作り出された中間データを記憶するためのＲＡＭ（ランダム・アクセス・メモリ）６１５、および／または、様々なプログラム、データなどを記憶するための記憶装置６１７を含み得る。前述のマッピング・ユニット６０１、送信ユニット６０２、ＣＰＵ６１０、ＲＯＭ６１３、ＲＡＭ６１５および／または記憶装置６１７などは、データおよび／またはコマンド・バス６２０を介して相互接続することができ、次から次に信号を転送することができる。
【００５７】
前述のそれぞれのユニットは、本開示の範囲を限定しない。本開示の一実施例によれば、マッピング・ユニット６０１および送信ユニット６０２の機能はまた、１つのユニットによって実装することができ、そして、マッピング・ユニット６０１および送信ユニット６０２のいずれかまたはその組合せの機能はまた、ＣＰＵ６１０、ＲＯＭ６１３、ＲＡＭ６１５および／または記憶装置６１７などと組み合わせて、機能ソフトウェアによって、実装され得る。
【００５８】
本開示の第１の実施例で、平均ＣＳＩ−ＲＳオーバヘッドは、大きく低減され得る。
【実施例２】
【００５９】
前述の直接的な解決法では、平均オーバヘッドは大幅に削減され得るが、オーバヘッドの問題は、全ＣＳＩ−ＲＳポート送信で部分的ユーザについてまだ存在し得ることが、理解されよう。したがって、本開示の第２の実施例では、低減されたＣＳＩ−ＲＳ  ＲＥでＣＳＩ−ＲＳポートの周期的にシフトされる送信によってそのような種類のユーザのＣＳＩ−ＲＳポートを低減することをさらに提案する。たとえば、全体として６４ＣＳＩ−ＲＳポートが必要である場合、４０ＣＳＩ−ＲＳポートのみが送信される、または、４０ＲＥのみが各期間に各ＰＲＢで専有されるが、これらの６４ＣＳＩ−ＲＳポートすべては、周期的シフト方式で４０ＣＳＩ−ＲＳ  ＲＥを共用することになる。
【００６０】
図８は、本開示の第２の実施例による周期的にシフトされる送信によるＣＳＩ−ＲＳポートを示す図である。図８に示すように、各期間に、全ＣＳＩ−ＲＳポートではなくて部分的ＣＳＩ−ＲＳポートのみが送信されるが、すべてのＣＳＩ−ＲＳポートが周期的にシフトされる方式で送信される。たとえば、第１の期間Ｔに、ＣＳＩ−ＲＳポート１〜４０（４０ポート）が送信され、第２の期間６Ｔに、ＣＳＩ−ＲＳポート１７〜５６（４０ポート）が送信される。したがって、Ｔまたは６Ｔなどの各期間に、ＣＳＩ−ＲＳポートをマップする２４リソース要素が、全体として、節約される。ＣＳＩ−ＲＳポートの周期的にシフトされるオフセットは、８、１６、２４、３２、４０、４８、または５６ポートのいずれかでもよく、それは、ＲＲＣシグナリングを使用する基地局によって構成することができる。ここで、１つの期間Ｔは、たとえば、１つのＴＴＩを含み得る。
【００６１】
したがって、本開示の実施例によれば、基地局のマッピング・ユニット６０１は、第１の送信期間（たとえば、Ｔ）に第１のグループのＣＳＩ−ＲＳポート（たとえば、ＣＳＩ−ＲＳポート１〜４０）をリソースブロックにマップし、第２の送信期間（たとえば、６Ｔ）に第２のグループのＣＳＩ−ＲＳポート（たとえば、ＣＳＩ−ＲＳポート１７〜５６）をリソースブロックにマップするように構成され、第２のグループのＣＳＩ−ＲＳポート（たとえば、ＣＳＩ−ＲＳポート１７〜５６）は、複数のＣＳＩ−ＲＳポート（たとえば、６４ＣＳＩ−ＲＳポート）のうちの１６ＣＳＩ−ＲＳポートのシフトされるオフセットによって第１のグループのＣＳＩ−ＲＳポート（たとえば、ＣＳＩ−ＲＳポート１〜４０）を周期的にシフトすることによって形成される。
【００６２】
別の実施例によれば、ＣＳＩ−ＲＳポートの周期的にシフトされるオフセット（８、１６、２４、３２、４０、４８、または５６）は本開示の範囲を限定せず、それは、１、２、４などの任意の他の数でもよい。
【００６３】
本開示の前述の第２の実施例で、ＣＳＩ−ＲＳポート送信のオーバヘッドは、大きく減らされる。
【実施例３】
【００６４】
前述の直接的な解決法では、ＴＤＭベースの解決法が使用される場合に、異なるＴＴＩ内の分割ＣＳＩ−ＲＳポート間の干渉が潜在的に非常に大きくなり得る、という別の問題がある。したがって、本開示の第３の実施例では、潜在的に大きな干渉差を何とかして緩和するために、分割ＣＳＩ−ＲＳグループの周期的シフト送信の使用が提案される。
【００６５】
図９は、本開示の第３の実施例による分割ＣＳＩ−ＲＳポートの周期的シフト送信を示す図である。図９（ａ）に示すように、分割方式はＴＤＭである。直接的な解決法で、固定された分割関係が常に仮定され、たとえば、第１のＴＴＩ（ＴＴＩ＃１）が、前半のＣＳＩ−ポート１〜３２を送信し、第２のＴＴＩ（ＴＴＩ＃２）が後半のＣＳＩ−ＲＳポート３３〜６４を送信する。そのような解決法の問題は、潜在的な大きな干渉差である。たとえば、図９に示すように、ＴＴＩ＃１で、マクロｅＮＢのミューティングにより、ピコ・セルはより小さい干渉を得ることができるが、ＴＴＩ＃２で、そのピコ・セルは、マクロｅＮＢの通常の送信からの干渉によるより大きな干渉に遭遇し得る。したがって、２つのＣＳＩ−ＲＳグループの間の干渉差は大きい。それは、３Ｄビーム形成性能に影響を及ぼすことになる。したがって、本開示の第３の実施例では、２つのＣＳＩ−ＲＳグループの間の送信関係が周期的にシフトされ、変更され得ることが、提案される。たとえば、第２の期間に、後半のＣＳＩ−ＲＳポート３３〜６４は、最初にＴＴＩ＃６で送信することができ、前半のＣＳＩ−ＲＳポート１〜３２は、第２に、ＴＴＩ＃７で送信され得る。第３の期間に、前述の送信が繰り返される。
【００６６】
図９（ｂ）に示すように、本開示の実施例によれば、基地局６００のマッピング・ユニット６０１は、第１の送信期間の前半（ＴＴＩ＃１）に第１のグループのＣＳＩ−ＲＳポート（ポート１〜３２）をリソースブロックに、第１の送信期間の後半（ＴＴＩ＃２）に第２のグループのＣＳＩ−ＲＳポート（ポート３３〜６４）をリソースブロックにマップすることと、第２の送信期間の前半（ＴＴＩ＃６）に第２のグループのＣＳＩ−ＲＳポート（ポート３３〜６４）をリソースブロックに、第２の送信期間の後半（ＴＴＩ＃７）に第１のグループのＣＳＩ−ＲＳポート（ポート１〜３２）をリソースブロックにマップすることとを行うように構成され、第２のグループのＣＳＩ−ＲＳポート（ポート３３〜６４）は、それぞれ、第１のグループのＣＳＩ−ＲＳポートを周期的にシフトすることによって形成される。
【００６７】
図９（ｃ）は、シフトされるオフセットが３２ＣＳＩ−ＲＳポートである、ある一定のルールに基づくＣＳＩ−ＲＳポート選択ウインドウ・スライディングを示す。図９（ｄ）は、シフトされるオフセットが１６ＣＳＩ−ＲＳポートである、ある一定のルールに基づく別のＣＳＩ−ＲＳポート選択ウインドウ・スライディングを示す。本開示の一実施例によれば、ＣＳＩ−ＲＳポートの前述のシフトされるオフセットは、本開示の範囲を限定せず、それは、８、１６、２４、３２、４０、４８、または５６ＣＳＩ−ＲＳポートのいずれか、あるいは任意の他の値でもよい。
【００６８】
本開示の一実施例によれば、周期的にシフトされるオフセットは、ＲＲＣシグナリングを使用する基地局によって構成され得る。
【００６９】
本開示の第３の実施例では、異なるＴＴＩ内の分割ＣＳＩ−ＲＳポート間の干渉は平均化され、性能が高められる。
【００７０】
図１０は、本開示のさらなる実施例によるユーザ機器（ＵＥ）を示すブロック図である。図１０に示すように、ＵＥ１０００は、第１のグループのＣＳＩ−ＲＳポートが第１の送信期間にリソースブロックにマップされ、第２のグループのＣＳＩ−ＲＳポートが第２の送信期間にリソースブロックにマップされる、基地局からリソースブロックを受信するように構成された受信ユニット１００１を備え、第１のグループ内のＣＳＩ−ＲＳポートの数は第２のグループ内のそれよりも多く、第１の送信期間は第２の送信期間よりも長い。
【００７１】
別の実施例では、第３のグループのＣＳＩ−ＲＳポートが、第３の送信期間にリソースブロックにマップされ、第３のグループ内のＣＳＩ−ＲＳポートの数は第１のグループ内のそれよりも少なく、第２のグループ内のそれよりも多く、第３の送信期間は第１の送信期間よりも短く、第２の送信期間よりも長い。
【００７２】
別の実施例で、ＣＳＩ−ＲＳポートの第１のグループは相対的により多数のＣＳＩ−ＲＳポート（たとえば６４ポート）を含み、ＣＳＩ−ＲＳポートの第２のグループは相対的により少数のＣＳＩ−ＲＳポート（たとえば１６ポート）を含み、そして、ＣＳＩ−ＲＳポートの第３のグループは全ポートの別の部分を含むが、その数は、第１のグループのＣＳＩ−ＲＳポートの数と第２のグループのＣＳＩ−ＲＳポートの数の間、たとえば３２または４８ポート、である。
【００７３】
別の実施例で、第１のグループのＣＳＩ−ＲＳポートは低移動性を有するユーザ機器のために使用され、第２のグループのＣＳＩ−ＲＳポートは高移動性を有するユーザ機器のために使用され、第３のグループのＣＳＩ−ＲＳポートは中移動性を有するユーザ機器のために使用される。
【００７４】
別の実施例で、部分的ＣＳＩ−ＲＳポートが送信されるときにリソースブロック上のＣＳＩ−ＲＳポートの構成を示すメッセージおよび／または出力増大変動パターンを示すメッセージが、ＲＲＣシグナリング、ＭＡＣシグナリングまたはＬ１シグナリングを使用する基地局によって構成される。
【００７５】
本開示の別の実施例で、受信ユニット１００１は、第１のグループのＣＳＩ−ＲＳポートは第１の送信期間にリソースブロックにマップされ、第２のグループのＣＳＩ−ＲＳポートは第２の送信期間にリソースブロックにマップされ、第２のグループのＣＳＩ−ＲＳポートは、第１のグループのＣＳＩ−ＲＳポートを周期的にシフトすることによって形成される、基地局からリソースブロックを受信するように構成される。
【００７６】
別の実施例で、ＣＳＩ−ＲＳポートの周期的にシフトされるオフセットは、８、１６、２４、３２、４０、４８、または５６ポートのいずれかでもよい。本実施例で、周期的にシフトされるオフセットは、ＲＲＣシグナリングを使用する基地局によって構成され得る。
【００７７】
本開示のさらなる実施例で、受信ユニット１００１は、基地局からリソースブロックを受信するように構成され、第１のグループのＣＳＩ−ＲＳポートは第１の送信期間の前半にリソースブロックにマップされ、第２のグループのＣＳＩ−ＲＳポートは第１の送信期間の後半にリソースブロックにマップされ、第２のグループのＣＳＩ−ＲＳポートは第２の送信期間の前半にリソースブロックにマップされ、そして、第１のグループのＣＳＩ−ＲＳポートは第２の送信期間の後半にリソースブロックにマップされ、第２のグループのＣＳＩ−ＲＳポートは、第１のグループのＣＳＩ−ＲＳポートを周期的にシフトすることによって形成される。
【００７８】
別の実施例で、ＣＳＩ−ＲＳポートの周期的にシフトされるオフセットは、８、１６、２４、３２、４０、４８、または５６ポートのいずれかでもよい。本実施例で、周期的にシフトされるオフセットは、ＲＲＣシグナリングを使用する基地局によって構成され得る。
【００７９】
本開示によるＵＥ１０００はさらに、関連プログラムを実行して様々なデータを処理し、ＵＥ１０００内のそれぞれのユニットの動作を制御するためのＣＰＵ（中央処理装置）、ＣＰＵ１０１０による様々な処理および制御を実行するために必要とされる様々なプログラムを記憶するためのＲＯＭ（読取り専用メモリ）１０１３、ＣＰＵ１０１０による処理および制御の手順で一時的に作り出される中間データを記憶するためのＲＡＭ（ランダム・アクセス・メモリ）１０１５、および／または、様々なプログラム、データなどを記憶するための記憶装置１０１７を含み得る。前述の受信ユニット１００１、ＣＰＵ１０１０、ＲＯＭ１０１３、ＲＡＭ１０１５および／または記憶装置１０１７などは、データおよび／またはコマンド・バス１０２０を介して相互接続され、次から次に信号を転送することができる。
【００８０】
前述のようなそれぞれのユニットは、本開示の範囲を限定しない。本開示の一実施例によれば、前述の受信ユニット１００１のいずれかまたは組合せの機能はまた、前述のＣＰＵ１０１０、ＲＯＭ１０１３、ＲＡＭ１０１５および／または記憶装置１０１７などと組み合わせて機能ソフトウェアによって実装され得る。
【００８１】
本開示の前述の実施例では、ＣＳＩ−ＲＳ送信の平均オーバヘッドが大きく低減され、異なるＴＴＩでの分割ＣＳＩ−ＲＳポート間の干渉が平均化され、性能が高められる。
【００８２】
図１１は、本開示の第１の実施例によるリソースブロックにＣＳＩ−ＲＳポートをマップする方法の流れ図である。図１１に示すように、本方法は、ステップＳ１１０１で開始する。ステップＳ１１０１で、第１のグループのＣＳＩ−ＲＳポートが第１の送信期間にリソースブロックにマップされる。ステップＳ１１０２で、第２のグループのＣＳＩ−ＲＳポートが第２の送信期間にリソースブロックにマップされ、第１のグループ内のＣＳＩ−ＲＳポートの数は第２のグループ内のそれよりも多く、第１の送信期間は第２の送信期間よりも長い。本実施例で、ステップＳ１１０１およびＳ１１０２は、本開示の基地局６００のマッピング・ユニット６０１によって実行され得る。
【００８３】
本実施例で、本方法は、第３の送信期間にリソースブロックに第３のグループのＣＳＩ−ＲＳポートをマップするさらなるステップを含み、第３のグループ内のＣＳＩ−ＲＳポートの数は第１のグループ内のそれよりも少なく、第２のグループ内のそれよりも多く、第３の送信期間は、第１の送信期間よりも短く、第２の送信期間よりも長い。
【００８４】
本実施例で、第１のグループのＣＳＩ−ＲＳポートは相対的により多数のＣＳＩ−ＲＳポート（たとえば６４ポート以上または未満）を含み、ＣＳＩ−ＲＳポートの第２のグループは相対的により少数のＣＳＩ−ＲＳポート（たとえば１６ポート）を含み、そして、ＣＳＩ−ＲＳポートの第３のグループは全ポートの別の部分を含むが、その数は、第１のグループのＣＳＩ−ＲＳポートの数と第２のグループのＣＳＩ−ＲＳポートの数の間、たとえば３２または４８ポート、である。
【００８５】
本実施例で、第１のグループのＣＳＩ−ＲＳポートは低移動性を有するユーザ機器のために使用され、第２のグループのＣＳＩ−ＲＳポートは高移動性を有するユーザ機器のために使用され、第３のグループのＣＳＩ−ＲＳポートは中移動性を有するユーザ機器のために使用される。
【００８６】
本実施例で、リソースブロック上のＣＳＩ−ＲＳポートの構成を示すメッセージおよび／または出力増大変動パターンを示すメッセージが、ＲＲＣシグナリング、ＭＡＣシグナリングまたはＬ１シグナリングによって構成される。
【００８７】
図１２は、本開示の第２の実施例によるリソースブロックにＣＳＩ−ＲＳポートをマップする方法の流れ図である。図１２に示すように、本方法はステップＳ１２０１で開始する。ステップＳ１２０１で、第１のグループのＣＳＩ−ＲＳポートが第１の送信期間にリソースブロックにマップされる。ステップＳ１２０２で、第２のグループのＣＳＩ−ＲＳポートが第２の送信期間にリソースブロックにマップされ、第２のグループのＣＳＩ−ＲＳポートは、第１のグループのＣＳＩ−ＲＳポートを周期的にシフトすることによって形成される。本実施例によれば、ステップＳ１２０１およびＳ１２０２は、本開示の基地局６００のマッピング・ユニット６０１によって実行することができる。
【００８８】
さらなる実施例で、ＣＳＩ−ＲＳポートの周期的にシフトされるオフセットは、８、１６、２４、３２、４０、４８、または５６ポートでもよい。さらなる実施例で、周期的にシフトされるオフセットは、ＲＲＣシグナリングを使用する基地局によって構成され得る。
【００８９】
図１３は、本開示の第３の実施例によるリソースブロックにＣＳＩ−ＲＳポートをマップする方法の流れ図である。図１３に示すように、本方法はステップＳ１３０１で開始する。ステップＳ１３０１で、第１のグループのＣＳＩ−ＲＳポートが第１の送信期間の前半にリソースブロックにマップされ、第２のグループのＣＳＩ−ＲＳポートが第１の送信期間の後半にリソースブロックにマップされる。ステップＳ１３０２で、第２のグループのＣＳＩ−ＲＳポートが第２の送信期間の前半にリソースブロックにマップされ、第１のグループのＣＳＩ−ＲＳポートが第２の送信期間の後半にリソースブロックにマップされ、第２のグループのＣＳＩ−ＲＳポートは、第１のグループのＣＳＩ−ＲＳポートを周期的にシフトすることによって形成される。本実施例で、ステップＳ１３０１およびＳ１３０２は、本開示の基地局６００のマッピング・ユニット６０１によって実行することができる。
【００９０】
さらなる実施例で、ＣＳＩ−ＲＳポートの周期的にシフトされるオフセットは、８、１６、２４、３２、４０、４８、または５６ポートのいずれかでもよい。さらなる実施例で、周期的にシフトされるオフセットは、ＲＲＣシグナリングを使用する基地局によって構成され得る。
【００９１】
本開示の前述の実施例は、単に例示的説明であり、それらの特定の構造および動作は本開示の範囲を限定しない。当業者は、前述のそれぞれの実施例の異なる部分および動作を再結合して、本開示の概念と同等に一致する新たな実装形態を生み出すことができる。
【００９２】
本開示の実施例は、ハードウェア、ソフトウェア、およびファームウェア、またはそれらの組合せによって実装することができ、実装の方法は本開示の範囲を限定しない。
【００９３】
本開示の実施例におけるそれぞれの機能要素（ユニット）間の接続関係は、本開示の範囲を限定せず、１つまたは複数の機能要素またはユニットは、任意の他の機能要素を含むまたはそれと接続することができる。
【００９４】
本開示のいくつかの実施例が、前述の添付の図面とともに示され、説明されたが、本開示の特許請求の範囲およびその同等物にやはり該当する変更および修正が、本開示の原理および趣旨を逸脱することなしに、これらの実施例に行われ得ることが、当業者には理解されよう。
【図１】
2016516371.tif 000003
【図２】
2016516371.tif 000004
【図３】
2016516371.tif 000005
【図４】
2016516371.tif 000006
【図５】
2016516371.tif 000007
【図６】
2016516371.tif 000008
【図７】
2016516371.tif 000009
【図８】
2016516371.tif 000010
【図９】
2016516371.tif 000011
【図１０】
2016516371.tif 000012
【図１１】
2016516371.tif 000013
【図１２】
2016516371.tif 000014
【図１３】
2016516371.tif 000015
【国際調査報告】
2016516371.tif 000016
2016516371.tif 000017